(57)【特許請求の範囲】
【請求項１】
ＣＯ２を含む副生ガスを圧縮する圧縮機と、
前記圧縮機によって圧縮された前記副生ガスを、第１低温流体と、前記第１低温流体とは異なる流体からなる第２低温流体とに熱交換させることにより冷却する冷却器と、
前記冷却器によって冷却された前記副生ガスを、断熱膨張させる超音速ノズルと、
前記超音速ノズルの膨張部に設けられた、第３低温流体が流れる冷却管路と、
前記冷却管路の外面に蓄積された液体状または固体状のＣＯ２を回収する回収手段と、
を備え、
前記冷却器は、前記圧縮機によって圧縮された前記副生ガスを、前記冷却器に設けられた冷凍機によって供給される前記第１低温流体と、前記第２低温流体とに、それぞれ同時に熱交換させることにより冷却し、
前記副生ガスは、製鉄所内で発生するものであり、
前記第１低温流体は、フロンまたはアンモニアであり、
前記第２低温流体は、製鉄所内で製造される液体酸素または液体窒素であることを特徴とする二酸化炭素の分離回収装置。
【請求項２】
ＣＯ２を含む副生ガスを、圧縮機によって圧縮する圧縮ステップと、
前記圧縮ステップで圧縮された前記副生ガスを、冷却器によって、第１低温流体と、前記第１低温流体とは異なる流体からなる第２低温流体とを熱交換させることにより冷却する冷却ステップと、
前記冷却ステップで冷却された前記副生ガスを、超音速ノズルによって断熱膨張させる断熱膨張ステップと、
前記超音速ノズルの膨張部に設けられた、第３低温流体が流れる冷却管路の外面に蓄積された液体状または固体状のＣＯ２を、回収手段によって回収する回収ステップと、
を含み、
前記冷却ステップは、前記圧縮ステップで圧縮された前記副生ガスを、前記冷却器に設けられた冷凍機によって供給される前記第１低温流体と、前記第２低温流体とに、それぞれ同時に熱交換させることにより冷却し、
前記副生ガスは、製鉄所内で発生するものであり、
前記第１低温流体は、フロンまたはアンモニアであり、
前記第２低温流体は、製鉄所内で製造される液体酸素または液体窒素であることを特徴とする二酸化炭素の分離回収方法。
【発明の詳細な説明】
【技術分野】
【０００１】
本発明は、製鉄所内で発生する副生ガスに含まれる二酸化炭素（ＣＯ２）の分離回収装置および分離回収方法に関する。
【背景技術】
【０００２】
従来、ＣＯ２を含むガスからＣＯ２を分離回収する装置が提案されている。例えば特許文献１では、ＣＯ２を含む被処理ガスを圧縮、冷却、断熱膨張および冷却させることによりＣＯ２を分離回収する分離回収装置が提案されている。
【先行技術文献】
【特許文献】
【０００３】
【特許文献１】特開平９−１４８３１号公報
【発明の概要】
【発明が解決しようとする課題】
【０００４】
しかしながら、特許文献１に係る発明は、例えば被処理ガスを圧縮または冷却する際に、圧縮機や冷却器等により大きな動力供給が必要であり、ＣＯ２の分離回収に多くのエネルギーが必要であるという問題があった。
【０００５】
本発明は、上記に鑑みてなされたものであって、ＣＯ２の分離回収時におけるエネルギーを削減することができるＣＯ２の分離回収装置および分離回収方法を提供することを課題とする。
【課題を解決するための手段】
【０００６】
上述した課題を解決し、目的を達成するために、本発明に係るＣＯ２の分離回収装置は、ＣＯ２を含む副生ガスを、前記副生ガスの自圧を併用しながら圧縮する圧縮機と、前記圧縮機によって圧縮された前記副生ガスを、第１低温流体と、前記第１低温流体とは異なる流体からなる第２低温流体とに熱交換させることにより冷却する冷却器と、前記冷却器によって冷却された前記副生ガスを、断熱膨張させる超音速ノズルと、前記超音速ノズルの膨張部に設けられた、第３低温流体が流れる冷却管路と、前記冷却管路の外面に蓄積された液体状または固体状のＣＯ２を回収する回収手段と、を備えることを特徴とする。
【０００７】
また、本発明に係るＣＯ２の分離回収装置は、上記発明において、前記副生ガスは、製鉄所内で発生するものであり、前記第１低温流体は、製鉄所内で製造される液体酸素または液体窒素であり、前記第２低温流体は、フロンまたはアンモニアであることを特徴とする。
【０００８】
上述した課題を解決し、目的を達成するために、本発明に係るＣＯ２の分離回収方法は、ＣＯ２を含む副生ガスを、圧縮機によって、前記副生ガスの自圧を併用しながら圧縮する圧縮ステップと、前記圧縮ステップで圧縮された前記副生ガスを、冷却器によって、第１低温流体と、前記第１低温流体とは異なる流体からなる第２低温流体とを熱交換させることにより冷却する冷却ステップと、前記冷却ステップで冷却された前記副生ガスを、超音速ノズルによって断熱膨張させる断熱膨張ステップと、前記超音速ノズルの膨張部に設けられた、第３低温流体が流れる冷却管路の外面に蓄積された液体状または固体状のＣＯ２を、回収手段によって回収する回収ステップと、を含むことを特徴とする。
【発明の効果】
【０００９】
本発明によれば、副生ガスの自圧を併用しながら圧縮することにより、副生ガスの圧縮に必要な昇圧量を減らすことができるため、ＣＯ２の分離回収時におけるエネルギーを削減することができる。
【図面の簡単な説明】
【００１０】
【図１】図１は、本発明の実施形態に係るＣＯ２の分離回収装置の構成を模式的に示す図である。
【図２】図２は、本発明の実施形態に係る分離回収装置を利用したＣＯ２の分離回収方法を説明するためのフローチャートである。
【発明を実施するための形態】
【００１１】
以下、本発明の実施形態に係るＣＯ２の分離回収装置および分離回収方法について、図面を参照しながら説明する。なお、本発明は以下の実施形態に限定されるものではない。また、以下の実施形態における構成要素には、当業者が置換可能かつ容易なもの、あるいは実質的に同一のものが含まれる。
【００１２】
［分離回収装置］
以下、本実施形態に係るＣＯ２の分離回収装置について、図１を参照しながら説明する。分離回収装置は、ＣＯ２を含む副生ガスから、ＣＯ２を分離回収するものである。分離回収装置１は、図１に示すように、副生ガス発生源１０と、圧縮機２０と、冷却器３１と、冷凍機３２と、低温流体貯蔵タンク３３と、超音速ノズル４０と、回収手段と、を備えている。なお、分離回収装置１は、主に製鉄所内で用いられるものであり、製鉄所内で発生する副生ガスや、製鉄所内で製造される低温流体等を利用してＣＯ２の分離回収を行う。
【００１３】
副生ガス発生源１０は、例えば製鉄所内に設けられた高炉等であり、ＣＯ２を含む副生ガス（高炉ガス、ＢＦＧ）を発生させる。なお、この副生ガス発生源１０で発生する副生ガスは、例えば２００ｋＰａ程度の自圧を有している。
【００１４】
圧縮機２０は、副生ガス発生源１０で発生した副生ガスを圧縮するものである。圧縮機２０は、具体的には副生ガス発生源１０から送られてきたＣＯ２を含む副生ガスを、当該副生ガスの自圧を併用しながら、例えば３気圧〜６気圧程度まで断熱圧縮する。そのため、本実施形態では、従来（特許文献１）のように、自圧を有しないガスを圧縮する場合と比較して、圧縮機２０が圧縮する昇圧量が相対的に小さくなる。
【００１５】
冷却器３１は、圧縮機２０によって圧縮された副生ガスを冷却するものである。冷却器３１は、具体的には、圧縮機２０から送られてきたＣＯ２を含む副生ガスを、冷凍機３２から供給される第１低温流体と、低温流体貯蔵タンク３３から供給される第２低温流体とに、それぞれ熱交換させることにより、例えば−５０℃〜−７０℃程度まで冷却する。なお、冷却器３１としては、具体的には二重管熱交換器や多管円筒式熱交換器（シェル・アンド・チューブ熱交換器）を用いることができる。
【００１６】
冷凍機３２から供給される第１低温流体は、例えばフロンまたはアンモニアである。また、低温流体貯蔵タンク３３から供給される第２低温流体は、第１低温流体とは異なる流体であり、例えば液体酸素または液体窒素である。
【００１７】
低温流体貯蔵タンク３３は、製鉄所内に設けられている設備であり、製鉄所内で製造される液体酸素または液体窒素を貯蔵するためのものである。低温流体貯蔵タンク３３から冷却器３１に供給された第２低温流体は、図１に示すように、副生ガスと熱交換を行った後、大気へ放出、または製鉄所内の製鉄プロセスで使用される。
【００１８】
このように、冷却器３１は、冷凍機３２から供給される第１低温流体に加えて、製鉄所内で貯蔵されている液体酸素または液体窒素等の第２低温流体の冷排熱を利用して副生ガスの冷却を行う。そのため、本実施形態では、従来（特許文献１）のように、製鉄所内で貯蔵されている低温流体を利用せずにガスを冷却する場合と比較して、冷却器３１が冷却する冷却量が相対的に小さくなる。
【００１９】
超音速ノズル４０は、冷却器３１によって冷却された副生ガスを、断熱膨張させるものである。超音速ノズル４０は、亜音速の気体の流れ（音速以下の流れ）を超音速（音速以上の流れ）に加速するノズルである。超音速ノズル４０は、図１に示すように、管の途中にスロートをもつ中細ノズルであり、内部を流れる気体の高速化に伴い、気体の温度を低下させる作用を有する。
【００２０】
また、超音速ノズル４０の膨張部４１には、図１に示すように、低温流体（第３低温流体）が流れる冷却管路５０が設けられている。この冷却管路５０の低温流体入口５１からは、例えば−１５０℃〜−１９０℃の低温流体（例えばフロンまたはアンモニア）が供給される。そして、冷却管路５０内を流れた低温流体は、超音速ノズル４０によって断熱膨張した副生ガスと熱交換した後、低温流体出口５２から排出される。
【００２１】
このような超音速ノズル４０に副生ガスを導入すると、断熱膨張した副生ガスが冷却管路５０を流れる−１５０℃〜−１９０℃の低温流体と熱交換して超低温になる。その結果、図１の符号Ａに示すように、冷却管路５０の外面に液体状または固体状のＣＯ２が蓄積（付着）し、副生ガスからＣＯ２が分離されることになる。なお、ＣＯ２は、超音速ノズル４０内における副生ガスの圧力に応じて、液体状または固体状のいずれかの状態で冷却管路５０の外面に蓄積する。
【００２２】
回収手段は、冷却管路５０の外面に蓄積された液体状または固体状のＣＯ２を回収するものである。回収手段としては、例えばかき取り型のスクレーパ等を用いることができる。
【００２３】
［分離回収方法］
以下、分離回収装置１を利用したＣＯ２の分離回収方法について、図２を参照しながら説明する。ＣＯ２の分離回収方法は、圧縮ステップと、冷却ステップと、断熱膨張ステップと、回収ステップと、を行う。
【００２４】
圧縮ステップでは、ＣＯ２を含む副生ガスを、圧縮機２０によって、副生ガスの自圧を併用しながら圧縮する（ステップＳ１）。続いて、冷却ステップでは、圧縮ステップで圧縮された副生ガスを、冷却器３１によって、第１低温流体と、第２低温流体とを熱交換させることにより冷却する（ステップＳ２）。
【００２５】
続いて、断熱膨張ステップでは、冷却ステップで冷却された副生ガスを、超音速ノズル４０によって断熱膨張させるとともに、冷却管路５０に供給した第３低温流体によって冷却する（ステップＳ３）。続いて、回収ステップでは、超音速ノズル４０の冷却管路５０の外面に蓄積された液体状または固体状のＣＯ２を、スクレーパ等の回収手段によって回収する（ステップＳ４）。
【００２６】
以上のような構成を備えるＣＯ２の分離回収装置１およびそれを利用した分離回収方法によれば、圧縮機２０を利用した圧縮ステップにおいて、副生ガスの自圧を併用しながら圧縮することにより、副生ガスの圧縮に必要な昇圧量を減らすことができる。また、冷却器３１を利用した冷却ステップにおいて、製鉄所内で貯蔵されている液体酸素または液体窒素等の低温流体の冷排熱を利用して副生ガスの冷却を行うことにより、副生ガスの冷却に必要な冷却量を減らすことができる。従って、ＣＯ２の分離回収時におけるエネルギーを削減することができる。
【００２７】
以上、本発明に係るＣＯ２の分離回収装置および分離回収方法について、発明を実施するための形態により具体的に説明したが、本発明の趣旨はこれらの記載に限定されるものではなく、特許請求の範囲の記載に基づいて広く解釈されなければならない。また、これらの記載に基づいて種々変更、改変等したものも本発明の趣旨に含まれることはいうまでもない。
【符号の説明】
【００２８】
１  分離回収装置
１０  副生ガス発生源
２０  圧縮機
３１  冷却器
３２  冷凍機
３３  低温流体貯蔵タンク
４０  超音速ノズル
４１  膨張部
５０  冷却管路
５１  低温流体入口
５２  低温流体出口
【図１】
0006536434.tif 000002
【図２】
0006536434.tif 000003